(57)【特許請求の範囲】
【請求項１】
原稿上の画像を読み取る画像読取装置を備え、前記画像読取装置により読み取られた画像を用紙上に形成する画像形成装置において、前記原稿にカラー部分があるか否かを検出するためのカラー原稿検出手段と、カラー原稿のみを読み取るカラー原稿読取モードを設定するモード設定手段と、前記カラー原稿検出手段の検出結果に基づきカラー原稿と判別し、かつ、前記モード設定手段により前記カラー原稿読取モードが設定されている場合は、原稿上の画像の読み取りを実行するカラー原稿読取モード実行手段とを有し、
前記カラー原稿読取モード実行手段は、前記カラー原稿検出手段の検出結果に基づき白黒原稿と判別し、かつ、前記モード設定手段により前記カラー原稿読取モードが設定されている場合は、原稿上の画像の読み取りを行わないことを特徴とする画像形成装置。
【請求項２】
原稿上の画像を読み取る画像読取装置を備え、前記画像読取装置により読み取られた画像を用紙上に形成する画像形成装置において、前記原稿にカラー部分があるか否かを検出するためのカラー原稿検出手段と、白黒原稿のみを読み取る白黒原稿読取モードを設定するモード設定手段と、前記カラー原稿検出手段の検出結果に基づき白黒原稿と判別し、かつ、前記モード設定手段により前記白黒原稿読取モードが設定されている場合は、原稿上の画像の読み取りを実行する白黒原稿読取モード実行手段とを有し、
前記白黒原稿読取モード実行手段は、前記カラー原稿検出手段の検出結果に基づきカラー原稿と判別し、かつ、前記モード設定手段により前記白黒原稿読取モードが設定されている場合は、原稿上の画像の読み取りを行わないことを特徴とする画像形成装置。
【請求項３】
原稿上の画像を読み取る画像読取装置を備え、前記画像読取装置により読み取られた画像を用紙上に形成する画像形成装置において、前記原稿にカラー部分があるか否かを検出するためのカラー原稿検出手段と、カラー原稿のみを読み取るカラー原稿読取モードと白黒原稿のみを読み取る白黒原稿読取モードのいずれか一方の読取モードを選択的に設定するモード設定手段と、前記カラー原稿検出手段の検出結果及び前記モード設定手段の設定内容に基づき前記原稿の内のカラー原稿又は白黒原稿を選択的に読み取るように制御する制御手段とを有し、
前記制御手段は、前記カラー原稿検出手段の検出結果に基づきカラー原稿と判別し、かつ、前記モード設定手段により前記カラー原稿読取モードが設定されている場合は、原稿上の画像の読み取りを行い、
前記カラー原稿検出手段の検出結果に基づきカラー原稿と判別し、かつ、前記モード設定手段により前記白黒原稿読取モードが設定されている場合は、原稿上の画像の読み取りを行わず、
前記カラー原稿検出手段の検出結果に基づき白黒原稿と判別し、かつ、前記モード設定手段により前記カラー原稿読取モードが設定されている場合は、原稿上の画像の読み取りを行わず、
前記カラー原稿検出手段の検出結果に基づき白黒原稿と判別し、かつ、前記モード設定手段により前記白黒原稿読取モードが設定されている場合は、原稿上の画像の読み取りを行うように制御することを特徴とする画像形成装置。
【請求項４】
原稿上の画像を読み取る画像読取装置において、前記原稿にカラー部分があるか否かを検出するためのカラー原稿検出手段と、カラー原稿のみを読み取るカラー原稿読取モードを設定するモード設定手段と、前記カラー原稿検出手段の検出結果に基づきカラー原稿と判別し、かつ、前記モード設定手段により前記カラー原稿読取モードが設定されている場合は、原稿上の画像の読み取りを実行するカラー原稿読取モード実行手段とを有し、
前記カラー原稿読取モード実行手段は、前記カラー原稿検出手段の検出結果に基づき白黒原稿と判別し、かつ、前記モード設定手段により前記カラー原稿読取モードが設定されている場合は、原稿上の画像の読み取りを行わないことを特徴とする画像読取装置。
【請求項５】
原稿上の画像を読み取る画像読取装置において、前記原稿にカラー部分があるか否かを検出するためのカラー原稿検出手段と、白黒原稿のみを読み取る白黒原稿読取モードを設定するモード設定手段と、前記カラー原稿検出手段の検出結果に基づき白黒原稿と判別し、かつ、前記モード設定手段により前記白黒原稿読取モードが設定されている場合は、原稿上の画像の読み取りを実行する白黒原稿読取モード実行手段とを有し、
前記白黒原稿読取モード実行手段は、前記カラー原稿検出手段の検出結果に基づきカラー原稿と判別し、かつ、前記モード設定手段により前記白黒原稿読取モードが設定されている場合は、原稿上の画像の読み取りを行わないことを特徴とする画像読取装置。
【請求項６】
原稿上の画像を読み取る画像読取装置において、前記原稿にカラー部分があるか否かを検出するためのカラー原稿検出手段と、カラー原稿のみを読み取るカラー原稿読取モードと白黒原稿のみを読み取る白黒原稿読取モードのいずれか一方の読取モードを選択的に設定するモード設定手段と、前記カラー原稿検出手段の検出結果及び前記モード設定手段の設定内容に基づき前記原稿の内のカラー原稿又は白黒原稿を選択的に読み取るように制御する制御手段とを有し、
前記制御手段は、前記カラー原稿検出手段の検出結果に基づきカラー原稿と判別し、かつ、前記モード設定手段により前記カラー原稿読取モードが設定されている場合は、原稿上の画像の読み取りを行い、
前記カラー原稿検出手段の検出結果に基づきカラー原稿と判別し、かつ、前記モード設定手段により前記白黒原稿読取モードが設定されている場合は、原稿上の画像の読み取りを行わず、
前記カラー原稿検出手段の検出結果に基づき白黒原稿と判別し、かつ、前記モード設定手段により前記カラー原稿読取モードが設定されている場合は、原稿上の画像の読み取りを行わず、
前記カラー原稿検出手段の検出結果に基づき白黒原稿と判別し、かつ、前記モード設定手段により前記白黒原稿読取モードが設定されている場合は、原稿上の画像の読み取りを行うように制御することを特徴とする画像読取装置。
【請求項７】
原稿上の画像を読み取る画像読取方法において、カラー原稿検出手段により前記原稿にカラー部分があるか否かを検出する工程と、カラー原稿のみを読み取るカラー原稿読取モードを設定するモード設定工程と、前記カラー原稿検出手段の検出結果に基づきカラー原稿と判別し、かつ、前記モード設定工程において前記カラー原稿読取モードが設定されている場合は、原稿上の画像の読み取りを行い、前記カラー原稿検出手段の検出結果に基づき白黒原稿と判別し、かつ、前記モード設定工程において前記カラー原稿読取モードが設定されている場合は、原稿上の画像の読み取りを行わないように制御する工程とを有することを特徴とする画像読取方法。
【請求項８】
原稿上の画像を読み取る画像読取方法において、カラー原稿検出手段により前記原稿にカラー部分があるか否かを検出する工程と、白黒原稿のみを読み取る白黒原稿読取モードを設定するモード設定工程と、前記カラー原稿検出手段の検出結果に基づき白黒原稿と判別し、かつ、前記モード設定工程において前記白黒原稿読取モードが設定されている場合は、原稿上の画像の読み取りを行い、前記カラー原稿検出手段の検出結果に基づきカラー原稿と判別し、かつ、前記モード設定工程において前記白黒原稿読取モードが設定されている場合は、原稿上の画像の読み取りを行わないように制御する工程とを有することを特徴とする画像読取方法。
【請求項９】
原稿上の画像を読み取る画像読取方法において、カラー原稿検出手段により前記原稿にカラー部分があるか否かを検出する工程と、カラー原稿のみを読み取るカラー原稿読取モードと白黒原稿のみを読み取る白黒原稿読取モードのいずれか一方の読取モードを選択的に設定するモード設定工程と、前記カラー原稿検出手段の検出結果に基づきカラー原稿と判別し、かつ、前記モード設定工程において前記カラー原稿読取モードが設定されている場合は、原稿上の画像の読み取りを行い、前記カラー原稿検出手段の検出結果に基づきカラー原稿と判別し、かつ、前記モード設定工程において前記白黒原稿読取モードが設定されている場合は、原稿上の画像の読み取りを行わず、前記カラー原稿検出手段の検出結果に基づき白黒原稿と判別し、かつ、前記モード設定工程において前記カラー原稿読取モードが設定されている場合は、原稿上の画像の読み取りを行わず、前記カラー原稿検出手段の検出結果に基づき白黒原稿と判別し、かつ、前記モード設定工程において前記白黒原稿読取モードが設定されている場合は、原稿上の画像の読み取りを行うように制御する工程とを有することを特徴とする画像読取方法。
【発明の詳細な説明】
【０００１】
【発明の属する技術分野】
本発明は、原稿上の画像を読み取る画像読取装置を備える画像形成装置、その画像読取装置および画像読取方法に関する。
【０００２】
【従来の技術】
従来、複写機などの画像形成装置においては、原稿上の画像を読み取る画像読取装置と、画像読取装置に原稿を給送するための原稿給送装置とを備え、原稿給送装置により原稿を画像読取装置の読取位置に給送し、この給送された原稿上の画像を読み取るように構成されている。
【０００３】
また、近年、カラー複写機が登場し、カラー原稿および白黒原稿が混在した原稿束をコピーする際には、１回の操作によりこの原稿束の原稿を順に読み取り、カラー原稿、白黒原稿それぞれのコピー出力を簡単に得ることができる。
【０００４】
【発明が解決しようとする課題】
しかし、カラー原稿および白黒原稿が混在した原稿束内のカラー原稿のみをコピー出力する場合には、カラー原稿のみを取り出して画像読取装置にセットしなければならず、またこの取り出したカラー原稿のみを再度原稿束内にページ順に戻すなどの作業が必要であり、手間が掛る。
【０００５】
また、カラー原稿および白黒原稿が混在した原稿束内の白黒原稿のみをコピー出力する場合には、カラー原稿のみを取り出してコピー出力する場合と同様に手間が掛る。
【０００６】
本発明の目的は、手間を掛ずに、カラー原稿および白黒原稿が混在した原稿束内のカラー原稿のみまたは白黒原稿のみを読み取ることができる画像形成装置、画像読取装置および画像読取方法を提供することにある。
【０００７】
【課題を解決するための手段】
請求項１記載の発明は、原稿上の画像を読み取る画像読取装置を備え、前記画像読取装置により読み取られた画像を用紙上に形成する画像形成装置において、前記原稿にカラー部分があるか否かを検出するためのカラー原稿検出手段と、カラー原稿のみを読み取るカラー原稿読取モードを設定するモード設定手段と、前記カラー原稿検出手段の検出結果に基づきカラー原稿と判別し、かつ、前記モード設定手段により前記カラー原稿読取モードが設定されている場合は、原稿上の画像の読み取りを実行するカラー原稿読取モード実行手段とを有し、前記カラー原稿読取モード実行手段は、前記カラー原稿検出手段の検出結果に基づき白黒原稿と判別し、かつ、前記モード設定手段により前記カラー原稿読取モードが設定されている場合は、原稿上の画像の読み取りを行わないことを特徴とする。
【０００８】
請求項２記載の発明は、原稿上の画像を読み取る画像読取装置を備え、前記画像読取装置により読み取られた画像を用紙上に形成する画像形成装置において、前記原稿にカラー部分があるか否かを検出するためのカラー原稿検出手段と、白黒原稿のみを読み取る白黒原稿読取モードを設定するモード設定手段と、前記カラー原稿検出手段の検出結果に基づき白黒原稿と判別し、かつ、前記モード設定手段により前記白黒原稿読取モードが設定されている場合は、原稿上の画像の読み取りを実行する白黒原稿読取モード実行手段とを有し、前記白黒原稿読取モード実行手段は、前記カラー原稿検出手段の検出結果に基づきカラー原稿と判別し、かつ、前記モード設定手段により前記白黒原稿読取モードが設定されている場合は、原稿上の画像の読み取りを行わないことを特徴とする。
【０００９】
請求項３記載の発明は、原稿上の画像を読み取る画像読取装置を備え、前記画像読取装置により読み取られた画像を用紙上に形成する画像形成装置において、前記原稿にカラー部分があるか否かを検出するためのカラー原稿検出手段と、カラー原稿のみを読み取るカラー原稿読取モードと白黒原稿のみを読み取る白黒原稿読取モードのいずれか一方の読取モードを選択的に設定するモード設定手段と、前記カラー原稿検出手段の検出結果及び前記モード設定手段の設定内容に基づき前記原稿の内のカラー原稿又は白黒原稿を選択的に読み取るように制御する制御手段とを有し、前記制御手段は、前記カラー原稿検出手段の検出結果に基づきカラー原稿と判別し、かつ、前記モード設定手段により前記カラー原稿読取モードが設定されている場合は、原稿上の画像の読み取りを行い、前記カラー原稿検出手段の検出結果に基づきカラー原稿と判別し、かつ、前記モード設定手段により前記白黒原稿読取モードが設定されている場合は、原稿上の画像の読み取りを行わず、前記カラー原稿検出手段の検出結果に基づき白黒原稿と判別し、かつ、前記モード設定手段により前記カラー原稿読取モードが設定されている場合は、原稿上の画像の読み取りを行わず、前記カラー原稿検出手段の検出結果に基づき白黒原稿と判別し、かつ、前記モード設定手段により前記白黒原稿読取モードが設定されている場合は、原稿上の画像の読み取りを行うように制御することを特徴とする。
【００１０】
請求項４記載の発明は、原稿上の画像を読み取る画像読取装置において、前記原稿にカラー部分があるか否かを検出するためのカラー原稿検出手段と、カラー原稿のみを読み取るカラー原稿読取モードを設定するモード設定手段と、前記カラー原稿検出手段の検出結果に基づきカラー原稿と判別し、かつ、前記モード設定手段により前記カラー原稿読取モードが設定されている場合は、原稿上の画像の読み取りを実行するカラー原稿読取モード実行手段とを有し、前記カラー原稿読取モード実行手段は、前記カラー原稿検出手段の検出結果に基づき白黒原稿と判別し、かつ、前記モード設定手段により前記カラー原稿読取モードが設定されている場合は、原稿上の画像の読み取りを行わないことを特徴とする。
【００１１】
請求項５記載の発明は、原稿上の画像を読み取る画像読取装置において、前記原稿にカラー部分があるか否かを検出するためのカラー原稿検出手段と、白黒原稿のみを読み取る白黒原稿読取モードを設定するモード設定手段と、前記カラー原稿検出手段の検出結果に基づき白黒原稿と判別し、かつ、前記モード設定手段により前記白黒原稿読取モードが設定されている場合は、原稿上の画像の読み取りを実行する白黒原稿読取モード実行手段とを有し、前記白黒原稿読取モード実行手段は、前記カラー原稿検出手段の検出結果に基づきカラー原稿と判別し、かつ、前記モード設定手段により前記白黒原稿読取モードが設定されている場合は、原稿上の画像の読み取りを行わないことを特徴とする。
【００１２】
請求項６記載の発明は、原稿上の画像を読み取る画像読取装置において、前記原稿にカラー部分があるか否かを検出するためのカラー原稿検出手段と、カラー原稿のみを読み取るカラー原稿読取モードと白黒原稿のみを読み取る白黒原稿読取モードのいずれか一方の読取モードを選択的に設定するモード設定手段と、前記カラー原稿検出手段の検出結果及び前記モード設定手段の設定内容に基づき前記原稿の内のカラー原稿又は白黒原稿を選択的に読み取るように制御する制御手段とを有し、前記制御手段は、前記カラー原稿検出手段の検出結果に基づきカラー原稿と判別し、かつ、前記モード設定手段により前記カラー原稿読取モードが設定されている場合は、原稿上の画像の読み取りを行い、前記カラー原稿検出手段の検出結果に基づきカラー原稿と判別し、かつ、前記モード設定手段により前記白黒原稿読取モードが設定されている場合は、原稿上の画像の読み取りを行わず、前記カラー原稿検出手段の検出結果に基づき白黒原稿と判別し、かつ、前記モード設定手段により前記カラー原稿読取モードが設定されている場合は、原稿上の画像の読み取りを行わず、前記カラー原稿検出手段の検出結果に基づき白黒原稿と判別し、かつ、前記モード設定手段により前記白黒原稿読取モードが設定されている場合は、原稿上の画像の読み取りを行うように制御することを特徴とする。
【００１３】
請求項７記載の発明は、原稿上の画像を読み取る画像読取方法において、カラー原稿検出手段により前記原稿にカラー部分があるか否かを検出する工程と、カラー原稿のみを読み取るカラー原稿読取モードを設定するモード設定工程と、前記カラー原稿検出手段の検出結果に基づきカラー原稿と判別し、かつ、前記モード設定工程において前記カラー原稿読取モードが設定されている場合は、原稿上の画像の読み取りを行い、前記カラー原稿検出手段の検出結果に基づき白黒原稿と判別し、かつ、前記モード設定工程において前記カラー原稿読取モードが設定されている場合は、原稿上の画像の読み取りを行わないように制御する工程とを有することを特徴とする。
【００１４】
請求項８記載の発明は、原稿上の画像を読み取る画像読取方法において、カラー原稿検出手段により前記原稿にカラー部分があるか否かを検出する工程と、白黒原稿のみを読み取る白黒原稿読取モードを設定するモード設定工程と、前記カラー原稿検出手段の検出結果に基づき白黒原稿と判別し、かつ、前記モード設定工程において前記白黒原稿読取モードが設定されている場合は、原稿上の画像の読み取りを行い、前記カラー原稿検出手段の検出結果に基づきカラー原稿と判別し、かつ、前記モード設定工程において前記白黒原稿読取モードが設定されている場合は、原稿上の画像の読み取りを行わないように制御する工程とを有することを特徴とする。
【００１５】
請求項９記載の発明は、原稿上の画像を読み取る画像読取方法において、カラー原稿検出手段により前記原稿にカラー部分があるか否かを検出する工程と、カラー原稿のみを読み取るカラー原稿読取モードと白黒原稿のみを読み取る白黒原稿読取モードのいずれか一方の読取モードを選択的に設定するモード設定工程と、前記カラー原稿検出手段の検出結果に基づきカラー原稿と判別し、かつ、前記モード設定工程において前記カラー原稿読取モードが設定されている場合は、原稿上の画像の読み取りを行い、前記カラー原稿検出手段の検出結果に基づきカラー原稿と判別し、かつ、前記モード設定工程において前記白黒原稿読取モードが設定されている場合は、原稿上の画像の読み取りを行わず、前記カラー原稿検出手段の検出結果に基づき白黒原稿と判別し、かつ、前記モード設定工程において前記カラー原稿読取モードが設定されている場合は、原稿上の画像の読み取りを行わず、前記カラー原稿検出手段の検出結果に基づき白黒原稿と判別し、かつ、前記モード設定工程において前記白黒原稿読取モードが設定されている場合は、原稿上の画像の読み取りを行うように制御する工程とを有することを特徴とする。
【００１６】
【発明の実施の形態】
以下に、本発明の実施の形態について図を参照しながら説明する。
【００１７】
図１は本発明の画像形成装置の実施の一形態の構成を示す縦断面図である。
【００１８】
画像形成装置１０００は、図１に示すように、自動原稿給送部５１と、リーダ部１０１と、プリンタ部１０２と、シート処理部１０３とを備える。リーダ部１０１は、自動原稿給送部５１により原稿トレイ５０からプラテンガラス７８上の所定位置に給送された原稿Ｐを読み取る。
【００１９】
リーダ部１０１は、自動原稿給送部５１によりプラテンガラス７８上の所定位置に給送された原稿Ｐに光を照射するランプ７９と、原稿Ｐからの反射光をＣＣＤ７６に導くための複数の反射ミラー７２，７３，７４と、反射ミラー７２，７３，７４により導かれた原稿Ｐからの反射光をＣＣＤ７６上の撮像面に結像させるレンズ７５とを有する。ＣＣＤ７６は、Ｒ（レッド）、Ｇ（グリーン）、Ｂ（ブルー）の各アナログ色信号を独立して得るためのカラーラインセンサと、各アナログ色信号をそれぞれ増幅するためのアンプと、各アナログ色信号を８ビットのデジタル信号に変換するためのＡ／Ｄ変換器とを有する。ＣＣＤ７６から出力された各色のデジタル信号は、画像信号制御部７７に入力される。
【００２０】
画像信号制御部７７は、入力された各色のデジタル信号に対して所定の画像処理を施すとともに、読み取る原稿がカラー原稿であるか白黒原稿であるかを判別する機能を有する。この画像信号制御部７７の詳細な構成については後述する。画像信号制御部７７により所定の画像処理が施された信号は、プリンタ部１０２に入力される。
【００２１】
プリンタ部１０２は、画像信号制御部７７から入力された信号に基づきレーザ光を走査して画像形成ユニット６２の感光ドラム上に静電潜像を形成するための露光制御部６１を有する。画像形成ユニット６２は、感光ドラム上に形成された静電潜像を対応する色のトナーにより現像して可視像化し、このカラートナー像を記録紙Ｓに転写する電子写真方式による画像形成プロセスを実行する。この電子写真方式による画像形成プロセスについては公知であり、ここでは、その説明は省略する。
【００２２】
ここで、記録紙Ｓは、カセット５３またはカセット５４に収納された記録紙であり、各カセット５３，５４に収納されている記録紙は、給紙ローラ５５，５６により給紙され、搬送路５７およびレジストローラ６０を介して画像形成ユニット６２に給送される。
【００２３】
画像形成ユニット６２においてトナー像が転写された記録紙Ｓは、搬送ベルト６３により定着器６４に送られ、定着器６４では、記録紙Ｓを熱圧することにより、トナー像を記録紙Ｓに定着させる。これにより、記録紙Ｓ上には画像が形成されることになる。この画像が形成された記録紙Ｓは、排紙ローラ６５を経てシート処理部１０３に送られる。また、記録紙Ｓの両面に画像形成をする両面モード時には、一方の面に画像形成が行われた記録紙Ｓは両面パス６６を経て画像形成ユニット６２に再度送られ、他方の面に画像形成が行われた後に、排紙ローラ６５を経てシート処理部１０３に送られる。
【００２４】
シート処理部１０３は、プリンタ部１０２から送られた記録紙Ｓを内部に導くための入口ローラ１と、複数の搬送ローラ２，３と、搬送ローラ２，３間に配置された検知センサ３１とを有する。またシート処理部１０３には、トレイ２０にセットされたインサート紙Ｉを、プリンタ部１０２から送られた記録紙Ｓ間に中差しするインサート処理を行うためのインサータ１０４が搭載されている。
【００２５】
このインサータ１０４は、トレイ２０にセットされたインサート紙Ｉを所定のタイミングで、給紙ローラ２１、分離ローラ２２、各搬送ローラ２３，２４，２５，２６を介して搬送ローラ２に向けて搬送するように構成されている。インサータ１０４のトレイ２０には、インサート紙Ｉを検知するための検知センサ２７が設けられている。
【００２６】
搬送ローラ２，３により搬送された記録紙Ｓまたはインサート紙Ｉは、必要に応じてパンチユニット５０で穴あけ処理が施された後にバッファローラ５に巻き付けられる。バッファローラ５の周囲には、記録紙Ｓまたはインサート紙Ｉをバッファローラ５に押し付けるための複数の押し付けころ１２，１３，１４が配置されているとともに、切換フラッパ１０，１１が配置されている。この切換フラッパ１１の切換動作により、記録紙Ｓまたはインサート紙Ｉはノンソートパス３５またはソートパス３６に送られる。また、切換フラッパ１０の切換動作により、記録紙Ｓまたはインサート紙Ｉを一時的に蓄えるためのバッファパス２３またはソートパス３６に送られる。バッファパス２３には、記録紙Ｓまたはインサート紙を検知するための検知センサ３２が設けられている。
【００２７】
ノンソートパス３５には、記録紙Ｓまたはインサート紙Ｉを検知するための検知センサ３５が設けられ、このノンソートパス３５に導かれた記録紙Ｓまたはインサート紙Ｉは、排紙ローラ９を経てサンプルトレイ８５上に排紙される。
【００２８】
ソートパス３６に導かれた記録紙Ｓまたはインサート紙Ｉは、搬送ローラ６を介して処理トレイユニット８４に導かれる。処理トレイユニット８４は、記録紙Ｓまたはインサート紙Ｉを一旦集積して整合するための中間トレイ８２を有し、この中間トレイ８２上に蓄積された記録紙Ｓおよびインサート紙Ｉの用紙束は、整合板８８により整合され、また必要に応じてステイプルユニット８０によりステイプル処理される。中間トレイ８２上で整合された用紙束は、揺動ガイド８１が閉じたときに当接される排出ローラ８３ａとそれに対向する排出ローラ８３ｂによりスタックトレイ８６に排紙されて積載される。
【００２９】
サンプルトレイ８５またはスタックトレイ８６に積載された用紙束は、整合されるように、その後端縁が束積載ガイド８７に突き当てられる。この束積載ガイド８７は、シート処理部１０３の外装を兼ねている。
【００３０】
リーダ部１０１には、装置全体に関する入力操作を行うための操作部４０が設けられ、この操作部４０は、画像形成に関する各機能における現在の設定状態、各機能に関する設定情報を入力するための情報入力画面などを表示するための表示パネル、各機能に対する設定情報を入力するキーなどを有する。この操作部４０の詳細な構成については後述する。
【００３１】
本実施の形態においては、コピー機能、プリンタ機能およびファクシミリ機能が実行可能に構成されている。これら機能を実現するための構成について図２ないし図５を参照しながら説明する。図２は図１の画像形成装置の機能構成を示すブロック図、図３は図２の画像信号制御部の構成を示すブロック図、図４は図２の画像データ格納部の構成を示すブロック図、図５は図２の通信制御部の構成を示すブロック図である。
【００３２】
画像形成装置１０００は、図２に示すように、装置全体を制御するＣＰＵ回路部２００を有し、ＣＰＵ回路部２００は、メモリ２００１に格納されている各種制御プログラムに従い所定の処理を実行するＣＰＵ２００２を有する。ＣＰＵ２００２には、操作部制御部２０１、上述した画像信号制御部７７、画像データ格納部２０３および通信制御部２０４がＩ／Ｏ制御部２００３を介して接続され、これらはＣＰＵ２００２により制御される。
【００３３】
操作部制御部２０１は、操作部４０とのインタフェースを司るものであって、操作部に表示する画像データの操作部の転送、操作部における操作入力により発生した信号のＣＰＵ２００２への転送などを行う。
【００３４】
画像信号制御部７７は、図３に示すように、ＣＣＤ７６からの各色信号Ｒ１，Ｇ１，Ｂ１を入力し、入力した各色信号に対し、配光むら、ＣＣＤ７６の感度むらなどを補正するためのシェーディング補正を施すシェーディング補正部３０１を有する。このシェーディング補正が施された各色信号Ｒ２，Ｇ２，Ｂ２はシフトメモリ部３０２に入力され、シフトメモリ部３０２は、入力された各色信号に対し色間および画素間のずれ補正を行う。また、シフトメモリ部３０２に格納された各色信号に対しては、必要に応じて変倍移動処理部３０９により変倍、移動処理が施される。シフトメモリ部３０２からの各色信号Ｒ３，Ｇ３，Ｂ３はＬＯＧ変換部３０３に入力されるとともに後述する色判定部３１０に入力される。
【００３５】
ＬＯＧ変換部３０３は、入力されたＲＧＢの各色信号をＹＭＣの各濃度信号に変換する。ＹＭＣの各濃度信号は黒生成部３０４に入力され、黒生成部３０４は入力された各濃度信号に基づき黒（ＢＫ）の信号を生成する。このＢＫの濃度信号はＹ，Ｍ，Ｃの各濃度信号とともにマスキングＵＣＲ部３０５に入力され、マスキングＵＣＲ部３０５は、入力された各濃度信号に対しカラフィルター特性および濃度特性に関する補正を施し、この補正後の各濃度信号の内の現像すべき１つの濃度信号を選択して出力する。マスキングＵＣＲ部３０５から出力された濃度信号は濃度変換部３０７に入力され、濃度変換部３０７は設定された濃度設定に基づき入力された濃度信号に対して濃度変換を行う。この濃度変換後の画像データはトリミング処理部３０８に入力され、トリミング処理部３０８は画像データの設定された区間に対して編集処理を施す。そして、この編集処理後の画像データは画像データ格納部２０３に格納される。
【００３６】
色判定部３１０は、入力された各色信号Ｒ３，Ｇ３，Ｂ３に基づき各色信号比率を算出し、この信号比率に応じて読み取った画像が有彩色を含むか無彩色であるかすなわちカラー原稿であるか白黒原稿であるかを判別する。ここで、色判定部３１０に入力される各色信号はプレ原稿読取りにより読み取られた画像の色信号である。また、無彩色とは各色信号Ｒ３，Ｇ３，Ｂ３の各色信号比率が等しい場合であり、この場合、各色信号Ｒ３，Ｇ３，Ｂ３の差が小さい。よって、Ｒ３とＧ３の色信号の差、Ｇ３とＢ３の色信号の差をそれぞれ算出し、それぞれの差が所定値より小さいときには読み取った画像が無彩色であると判別し、差が所定値以上であるときには読み取ったに有彩色が含まれていると判別する。ここで、カラー原稿読取モード設定時には、リーダ部１０１において、色判定部３１０による判別結果に応じてカラー原稿のみに対して読取りを行い、白黒原稿に対してはその読取りを行わずに外部に排紙するように制御される。同様に、白黒原稿読取モード設定時には、色判定部３１０による判別結果に応じて白黒原稿のみに対して読取りを行い、カラー原稿に対してはその読取りを行わずに外部に排紙するように制御される。
【００３７】
画像データ格納部２０３には、通信制御部２０４において所定の処理が施された画像データが格納されるとともに、格納された画像データを通信制御部２０４に送出する。この画像データ格納部２０３は、図４に示すように、画像信号制御部７７および通信制御部２０４からの画像データを入力するメモリコントローラ部２３０２を有し、メモリコントローラ部２３０２は、それぞれから入力された画像データのページメモリ２３０１またはハードディスク装置（ＨＤ）２３０４への書込み、読出しを制御する。ここで、ハードディスク装置２３０４への画像データの書込み、読出しを行う際には、画像データをＬＺ圧縮、解凍部２３０３により圧縮、解凍する。画像データ格納部２０３に格納された画像データは、プリンタ部１０２（図１に示す露光制御部６１）に入力される。
【００３８】
通信制御部２０４は、図５に示すように、画像データ格納部２０３との間で画像データの入出力に関する制御を行うコア部２４０６を有し、コア部２４０６には、ファクシミリ部２４０１、コンピュータインタフェース部２４０３、フォーマッタ部２４０４、イメージメモリ部２４０５がそれぞれ接続されている。ファクシミリ部２４０１は、ファクシミリ部２４０１は、モデム（図示せず）を介して電話回線と接続され、電話回線からのファクシミリ情報の受信と、電話回線へのファクシミリ情報の送信とを行う。ファクシミリ送信時には、画像信号制御部７７（リーダ部１０１）から画像データ格納部２０３を介してハードディスク２４０２に画像データを一旦転送し、ファクシミリ部２４０１によりハードディスク２４０２から画像データを読み出して送信する。
【００３９】
コンピュータインターフェース部２４０３は、外部のコンピュータ１１との間でデータ通信を行うためのインタフェースであり、リーダ部１０１で読み取った画像データ（画像信号制御部７７からの画像データ）をコンピュータ１１に送出するデータとして画像データ格納部２０３を介して取り込んで送信し、またコンピュータ１１から送出されたプリントデータを受信する。
【００４０】
フォーマッタ部２４０４は、コンピュータ１１から受信したプリントデータを解析してイメージメモリ部２４０５上でラスタイメージに展開することにより、プリンタ部１０２が処理可能な画像データを生成する。この生成した画像データを画像データ格納部２０３を介してプリンタ部２に転送することにより、コンピュータ１１に対するプリンタ機能が実現される。また、スキャナ機能を実現することも可能である。この場合、リーダ部１０１で読み取った画像データ（画像信号制御部７７からの画像データ）をコンピュータ１１に送信する際には、同様に画像データ格納部２０３から取り込んだ画像データをコンピュータ１１が処理可能なデータフォーマットに変換して送出することにより、スキャナ機能を実現することができる。
【００４１】
次に、操作部について図６および図７を参照しながら説明する。図６は図１の画像形成装置に設けられている操作部の構成を示す図、図７は図６の操作部の表示パネルの画面表示切換例を示す図である。
【００４２】
操作部４０は、図６に示すように、画面上にタッチパネルシートが貼り付けられている液晶の表示パネル６２０と、複数のハードキーとを有する。表示パネル６２０は、システムの操作画面およびソフトキーを表示し、表示されているソフトキーが押されると、その位置情報が操作部制御部２０１に入力される。操作部制御部２０１は入力された位置情報に基づき対応する指示コードを生成してＣＰＵ回路部２００のＣＰＵ２００２に出力される。
【００４３】
例えば、本図においては、初期操作画面が表示され、この画面上には、用紙選択キー６２７、等倍キー６２９、縮小キー６２８、拡大キー６３９、ズームキー６３１、両面キー６２４、排紙処理キー６２５、応用モードキー６２６、カラー原稿読取キー６３０、白黒原稿読取キー６３１などのソフトキーが表示されている。ここで、カラー原稿読取キー６３０は、カラー原稿検出部９９の検出結果に基づきカラー原稿のみを読む取るカラー原稿読取モードを設定するためのキーであり、白黒原稿読取キー６３１は、カラー原稿検出部９９の検出結果に基づき白黒原稿のみを読む取る白黒原稿読取モードを設定するためのキーである。
【００４４】
この画面状態において例えば排紙理キー６２５が押下されると、表示パネル６２０の操作画面は、図９に示す排紙処理設定画面に切り換えられる。この排紙処理設定画面においては、用紙に対する後処理の内容を選択するためのメニューが表示される。具体的には、ソートキー６３２、ステイプルキー６３３、グループキー６３４、インサータキー６３５および選択した内容を確定するためのＯＫキー６３７などが表示される。
【００４５】
ハードキーとしては、電源のオン、オフを行うためのパワースイッチ６１３、スタートキー６１４、ストップキー６１５、リセットキー６１６、ガイドキー６１７、ユーザ設定キー６１８、割り込みキー６１９、各機能を設定、切換するための機能キー６０１，６０４，６０７，６１０が設けられている。パワースイッチ６１３の操作により電源がオンされると、ランプ６２１が点灯して電源が投入されていることを表す。また、各機能を設定、切換するための機能設定キー６０１，６０４，６０７，６１０が設けられている。各機能設定キー６０１，６０４，６０７，６１０の周囲には、機能が選択されていることを表すとともに、その機能における動作状況などを表すためのＬＥＤ６０２，６０３，６０５，６０６，６０８，６０９，６１１，６１２が設けられている。
【００４６】
次に、リーダ部１０１による読取り動作について図８を参照しながら説明する。図８は図１の画像形成装置のリーダ部における読取り動作の手順を示すフローチャートである。
【００４７】
リーダ部１０１において自動原稿給送部５１から給送した原稿を読み取る場合には、図８に示すように、まずステップＳ１においてカラー原稿読取スイッチが押下されたか否かを判定し、このカラー原稿読取スイッチが押下されているときには、ステップＳ５に進み、自動原稿給送部５１から給送される原稿の内カラー原稿のみを読み取るカラー原稿読取りモードを設定する。これに対し、カラー原稿読取りスイッチが押下されていないときには、ステップＳ２に進み、白黒原稿読取りスイッチが押下されたか否かを判定し、この白黒原稿読取りスイッチが押下されているときには、ステップＳ４に進み、自動原稿給送部５１から給送される原稿の内白黒原稿のみを読み取る白黒原稿読取モードを設定する。白黒原稿読取りスイッチが押下されていないときには、ステップＳ３に進み、通常読取りモードを設定する。この通常読取りモードは、自動原稿給送部５１から給送された原稿をカラー、白黒の区別なく読み取るモードである。
【００４８】
このようにして、カラー原稿読取りモード、白黒原稿読取りモード、通常読取りモードのいずれかが設定されると、ステップＳ６に進み、スタートキーが押下されたか否かを判定し、スタートキーが押下されないと、上記ステップＳ１に戻る。スタートキーが押下されると、ステップＳ７に進み、設定された読取りモードが通常読取りモードであるか否かを判定し、設定された読取りモードが通常読取りモードであるときには、ステップＳ１２に進み、自動原稿給送部５１から給送された原稿をリーダ部１０１において読み取り、続くステップＳ１３で読み取った画像データを画像データ格納部２０３に格納する。そしてステップＳ１４で、読み取った原稿が最終原稿であるか否かを判定し、この原稿が最終原稿でないときには、再度上記ステップＳ７に戻り、次原稿の読取りを続行し、読み取った原稿が最終原稿であるときには、本処理を終了する。
【００４９】
上記ステップＳ７において設定された読取りモードが通常読取りモードでないと判定されると、ステップＳ８に進み、プレ原稿読取りを行う。プレ原稿読取りでは、自動原稿給送部５１からプラテンガラス７８上の所定位置に給送された原稿を読み取り、色判定部３１０によりこの読み取った原稿の画像データに基づきこの原稿がカラー原稿であるか白黒原稿であるかを判別する。
【００５０】
続くステップＳ９では、色判定部３１０の判別結果から読み取る原稿がカラー原稿であるか白黒原稿であるかを判別し、読み取る原稿がカラー原稿であるときには、ステップＳ１１に進み、カラー原稿読取りモードが設定されているか否かを判定する。カラー原稿読取りモードが設定されているときには、この原稿を読み取るために、ステップＳ１２に進み、この原稿に対する読取りを行い、続くステップＳ１３で読み取った原稿の画像データを画像データ格納部２０３に格納する。そしてステップＳ１４で、読み取った原稿が最終原稿であるか否かを判定し、この原稿が最終原稿でないときには、再度上記ステップＳ７に戻り、読み取った原稿が最終原稿であるときには、本処理を終了する。
【００５１】
上記ステップＳ１１においてカラー原稿読取りモードが設定されていないと判定されると、白黒モードが設定されていることにより給送された原稿を読み取る必要がないと判断して上記ステップＳ１２およびステップＳ１３をスキップしてステップＳ１４に進む。ここで、読み取る必要がない原稿は、読み取られずにプラテンガラス７８上を搬送されて排紙される。
【００５２】
上記ステップＳ９において読み取る原稿が白黒原稿であると判別されると、ステップＳ１０に進み、白黒原稿読取りモードが設定されているか否かを判定する。白黒原稿読取りモードが設定されているときには、この原稿を読み取るために、ステップＳ１２に進み、自動原稿給送部１０１ａから給送された原稿をスキャナ部１０１ｂにおいて読み取り、続くステップＳ１３で読み取った画像データを画像データ格納部２０３に格納する。そしてステップＳ１４で、読み取った原稿が最終原稿であるか否かを判定し、この原稿が最終原稿でないときには、再度上記ステップＳ７に戻り、読み取った原稿が最終原稿であるときには、本処理を終了する。
【００５３】
上記ステップＳ１０において白黒原稿読取りモードが設定されていないと判定されると、カラー原稿読取モードが設定されていることにより給送された原稿を読み取る必要がないと判断して上記ステップＳ１２およびステップＳ１３をスキップしてステップＳ１４に進む。ここで、読み取る必要がない原稿は、読み取られずにプラテンガラス７８上を搬送されて排紙される。
【００５４】
このように、本実施の形態では、カラー原稿読取りモードまたは白黒原稿読取りモードを設定することによって、カラー原稿および白黒原稿が混在した原稿束内のカラー原稿のみまたは白黒原稿のみを読み取ることができ、従来のように、カラー原稿および白黒原稿が混在した原稿束内のカラー原稿のみを読み取る場合にカラー原稿のみを取り出して自動原稿給送部５１にセットし、またこの取り出したカラー原稿のみを再度原稿束内にページ順に戻すなどの作業を行う必要がない。よって、手間を掛けずに、カラー原稿および白黒原稿が混在した原稿束内のカラー原稿のみまたは白黒原稿のみを読み取ることができる。
【００５５】
なお、本実施の形態では、リーダ部１０１を搭載した画像形成装置１０００について説明したが、プリンタに対してリーダ部１０１と同じ構成を有するスキャナをオプション装置として構成し、プリンタにこのスキャナを装着してプリンタ機能とともに、コピー機能を構成する画像形成システムの場合にも同様の効果が得られることはいうまでもない。その場合、リーダ部１０１と同じ構成を有するスキャナの制御をプリンタ側で行うように構成してもよいし、またプリントサーバなどの制御装置を設け、この制御装置側から制御する構成としてもよい。
【００５６】
【発明の効果】
以上説明したように、請求項１、４および７に係る発明によれば、手間を掛けずに、カラー原稿および白黒原稿が混在した原稿束内のカラー原稿のみを読み取ることができる。
【００５７】
請求項２、５および８に係る発明によれば、手間を掛けずに、カラー原稿および白黒原稿が混在した原稿束内の白黒原稿のみを読み取ることができる。
【００５８】
請求項３、６および９に係る発明によれば、手間を掛けずに、カラー原稿および白黒原稿が混在した原稿束内のカラー原稿のみまたは白黒原稿のみを読み取ることができる。
【図面の簡単な説明】
【図１】本発明の画像形成装置の実施の一形態の構成を示す縦断面図である。
【図２】図１の画像形成装置の機能構成を示すブロック図である。
【図３】図２の画像信号制御部の構成を示すブロック図である。
【図４】図２の画像データ格納部の構成を示すブロック図である。
【図５】図２の通信制御部の構成を示すブロック図である。
【図６】図１の画像形成装置に設けられている操作部の構成を示す図である。
【図７】図６の操作部の表示パネルの画面表示切換例を示す図である。
【図８】図１の画像形成装置における読取り動作の手順を示すフローチャートである。
【符号の説明】
４０  操作部
５１  自動原稿給送部
７２，７３，７４  ミラー
７５  レンズ
７６  ＣＣＤ
７７  画像信号制御部
７９  ランプ
１０１  リーダ部
１０２  プリンタ部
２００  ＣＰＵ回路部
６３０  カラー原稿読取キー
６３１  白黒原稿読取キー
１０００  画像形成装置
２００１  メモリ
２００２  ＣＰＵ
【図１】
0003710330.tif 000002
【図２】
0003710330.tif 000003
【図３】
0003710330.tif 000004
【図４】
0003710330.tif 000005
【図５】
0003710330.tif 000006
【図６】
0003710330.tif 000007
【図７】
0003710330.tif 000008
【図８】
0003710330.tif 000009